(57)【要約】【課題】  公衆ＰＨＳ端末を公衆網を経由することなくＰＢＸに収容されるＰＢＸ端末との発着呼制御を可能とする。【解決手段】  屋内基地局集線装置３、前記ＰＢＸ７と直接接続するためのＰＢＸ用インタフェースと、ＰＨＳ端末の番号を登録するデータベースとを有し、ＰＢＸは、集線装置３と直接接続するためのＰＨＳ用インタフェースを有し、インタフェース間で回線が接続されている。屋内基地局集線装置３は、ＰＨＳ端末からＰＢＸ端末の番号及び特殊番号のダイヤルを伴う発呼要求をうけると、前記ＰＢＸ用インタフェースとＰＨＳ用インタフェースを介して前記ＰＢＸに回線接続要求を送信することを特徴とする公衆ＰＨＳ用の構内交換システム。【選択図】  図１
2005045685.tif 000002
【特許請求の範囲】
【請求項１】
公衆ＰＨＳ網に属し公衆網側で複数のパーソナルハンディホン端末を収容する屋内基地局集線装置と、一般公衆網を介して前記屋内基地局集線装置と接続されるＰＢＸとを備えた構内交換システムにおいて、
前記屋内基地局集線装置は、前記ＰＢＸと直接接続するためのＰＢＸ用インタフェースと、前記パーソナルハンディホン端末の番号を登録するデータベースとを有し、
前記ＰＢＸは、前記集線装置と直接接続するためのＰＨＳ用インタフェースを有し、
前記ＰＢＸ用インタフェースとＰＨＳ用インタフェースとを回線接続し、
前記屋内基地局集線装置は、前記一のパーソナルハンディホン端末から前記ＰＢＸ端末の番号及び特殊番号のダイヤルを伴う発呼要求をうけると、前記ＰＢＸ用インタフェースとＰＨＳ用インタフェースを介して前記ＰＢＸに回線接続要求を送信することを特徴とする公衆ＰＨＳ用の構内交換システム。
【発明の詳細な説明】
【技術分野】
【０００１】
本発明は、公衆ＰＨＳ（パーソナルハンディホン）用屋内基地局集線装置に収容されるＰＨＳ端末とＰＢＸに接続されるＰＢＸ端末との発着信呼の制御技術に関する。
【背景技術】
【０００２】
従来技術として特開平８−１７２６７３号公報に記載される技術が知られている。この技術は、公衆ＰＨＳ番号による構内網のコードレス端末への着信呼をＰＢＸの通信端末に転送するだけでなく、ＰＢＸに付与されたダイヤルイン番号による着信や、構内網に端末からの構内網番号による着信に対してもコードレス端末への転送を可能にすることを目的とするものである。
【０００３】
このシステムは、ＰＢＸによりＰＨＳ端末を管理する構内網と、構内網と通話路によって接続された公衆ＰＨＳ網とを備え、ＰＨＳ端末が構内網と公衆ＰＨＳ網とを往来するＰＨＳ端末への着信を制御するＰＨＳ着信制御装置であって、ＰＢＸと公衆ＰＨＳ網とに接続した転送制御装置と、ＰＢＸが管理する構内網に存在するＰＨＳ端末の位置情報を登録するデータベースと、このデータベースに登録されたＰＨＳ端末の内線番号と公衆ＰＨＳ番号とを対応して記憶し、かつ転送の可否を記憶したデータベースとを備えて構成される。
【０００４】
【特許文献１】特開平８−１７２６７３号公報
【発明の開示】
【発明が解決しようとする課題】
【０００５】
従来の技術の第１の問題は、ＰＢＸによりＰＨＳ端末を管理するため、ユーザが番号管理を保守しなければならい点である。
【０００６】
また、第２の問題は、ＰＨＳ端末が公衆ＰＨＳ番号と構内内線番号を持つ特殊端末が必要であり、一般の公衆ＰＨＳ端末を使用することができない点である。
【０００７】
そこで、本発明の目的は、上記問題点を解決しうる公衆ＰＨＳ用屋内基地局集線装置及びＰＢＸの提供にある。
【課題を解決するための手段】
【０００８】
本発明によれば、公衆ＰＨＳ網に属し公衆網側で複数のパーソナルハンディホン端末を収容する屋内基地局集線装置と、一般公衆網を介して前記屋内基地局集線装置と接続されるＰＢＸとを備えた構内交換システムにおいて、前記屋内基地局集線装置は、前記ＰＢＸと直接接続するためのＰＢＸ用インタフェースと、前記パーソナルハンディホン端末の番号を登録するデータベースとを有し、前記ＰＢＸは、前記集線装置と直接接続するためのＰＨＳ用インタフェースを有し、前記ＰＢＸ用インタフェースとＰＨＳ用インタフェースとを回線接続し、前記屋内基地局集線装置は、前記一のパーソナルハンディホン端末から前記ＰＢＸ端末の番号及び特殊番号のダイヤルを伴う発呼要求をうけると、前記ＰＢＸ用インタフェースとＰＨＳ用インタフェースを介して前記ＰＢＸに回線接続要求を送信することを特徴とする公衆ＰＨＳ用の構内交換システムを得ることができる。
【発明の効果】
【０００９】
本発明によれば、屋内基地局集線装置に接続される端末と、ＰＢＸに接続される端末は、公衆網の上位局を経由することなく、屋内基地局集線装置とＰＢＸとのインタフェースで接続ができる。
【００１０】
また、屋内基地局集線装置に接続される端末からＰＢＸの局線への接続、ＰＢＸに接続される端末からの屋内基地局装置の上位局側との接続についても可能となる。
【発明を実施するための最良の形態】
【００１１】
以下、本発明の実施の形態について図面を参照しながら説明する。図１は、本実施形態にかかるシステムの概略図であり、屋内基地局集線装置３とＰＢＸ７はＩＳＤＮインタフェースで接続されている。本実施形態の特徴は、公衆ＰＨＳ網でＰＨＳ端末を管理している公衆ＰＨＳ網に属する屋内基地局集線装置とＰＢＸとの連動方式にある。また、屋内基地局集線装置３には、ＰＨＳ端末の番号を登録するデータベース（ＤＢ）３５を備えている。
【００１２】
次に、本実施形態の動作について説明する。まずは、ＰＨＳ端末１ａからＰＢＸ端末６ａへ接続する場合について説明する。
【００１３】
公衆網で使用しない特定番号＋ＰＢＸ端末６ａの番号をダイヤルする。屋内基地局集線装置３では、ＣＰＵ３４で特定番号を識別すると基地局集線装置３のＰＢＸインタフェース部（ＰＢＸＩＦ）からＰＢＸ７のＰＨＳインタフェース（ＰＢＸＩＦ）へＰＨＳ端末１ａの番号と特定暗号＋ＰＢＸ端末６ａの番号情報を送出する。
ＰＢＸ７では、ＰＢＸ７のＣＰＵ７２でＰＨＳ端末１ａの番号と特定番号＋ＰＢＸ端末６ａの番号情報を識別し、ＰＢＸ端末６ａが空きであればＰＢＸ端末６ａを呼び出すとともにＰＨＳインタフェース部を通して、屋内基地局集線装置３のＰＢＸインタフェース部へＰＢＸ端末６ａの呼び出し情報を送出する。
【００１４】
屋内基地局集線装置３では、屋内基地局集線装置３のＣＰＵ３４でＰＢＸ端末６ａの呼び出し情報を受信すると、ＰＨＳ端末１ａへリングバックトーン情報を送出する。
【００１５】
ＰＨＳ端末１ａでは、リングバックトーンをＰＨＳ端末１ａの受話器へ送出する。ＰＨＳ端末１ａが応答するとＰＢＸ７のＣＰＵ７２で識別し、ＰＢＸ端末６ａと、ＰＨＳインタフェース部を接続すると共にＰＨＳインタフェース部を通して、屋内基地局集線装置３のＰＢＸインタフェース部へＰＢＸ端末６ａの応答情報を送出する。
【００１６】
屋内基地局集線装置３では、屋内基地局集線装置３のＣＰＵ３４でＰＢＸ端末６ａの応答情報を識別すると、ＰＨＳ端末１ａへ応答情報を送出するとともにＰＨＳ端末１ａに接続されている屋内基地局インタフェース部とＰＢＸインタフェース部を接続する。これにより、ＰＨＳ端末１ａとＰＢＸ端末６ａが接続される。
【００１７】
次に、ＰＢＸ端末６ａからＰＨＳ端末１ａへ接続する場合について説明する。ＰＢＸの番号計画で、基地局集線装置３へ接続する特定番号をもうけておき、ＰＢＸ端末６ａから特定番号＋ＰＨＳ端末１ａの番号をダイヤルする。
【００１８】
ＰＢＸ７では、ＣＰＵ７２で特定番号を識別するとＰＢＸ７のＰＨＳインタフェース図（ＰＨＳIF）から基地局集線装置３のＰＢＸインタフェース部（ＰＢＸＩＦ）へＰＢＸ端末６ａの番号と特定番号＋ＰＨＳ端末１ａの番号情報を送出する。
【００１９】
屋内基地局集線装置３では、屋内基地局集線装置３のＣＰＵ３４でＰＢＸ端末６ａの番号と特定番号＋ＰＨＳ端末１ａの番号情報を識別し、ＰＨＳ端末の番号がデータベースに登録されていることを識別する。ＰＨＳ端末１ａが空きであれば、ＰＨＳ端末１ａへ呼び出し情報を送出すると共にＰＢＸインタフェース部を通して、ＰＢＸ７のＰＨＳインタフェース部へＰＨＳ端末１ａの呼び出し情報を送出する。
【００２０】
ＰＢＸ７では、ＰＢＸ７のＣＰＵ７２でＰＨＳ端末１ａの呼び出し情報を識別すると、ＰＢＸ端末６ａへリングバックトーンを送出する。
【００２１】
ＰＨＳ端末１ａが応答すると屋内基地局集線装置３のＣＰＵ３４で識別し、ＰＨＳ端末１ａとＰＢＸインタフェース部を接続すると共にＰＢＸインタフェース部を通して、ＰＢＸ７のＰＨＳインタフェース部へＰＨＳ端末１ａの応答情報を送出する。
【００２２】
ＰＢＸ７では、ＰＢＸ７のＣＰＵ７２でＰＨＳ端末１ａの応答を識別すると、ＰＢＸ端末６ａへのリングバックトーンを止めると共にＰＢＸ端末６ａとＰＨＳインタフェース部を接続する。これにより、ＰＢＸ端末６ａとＰＨＳ端末１ａが接続される。
【００２３】
次に、ＰＨＳ端末１ａからＰＢＸ７の局線への発信について説明する。公衆網で使用しない特定番号＋ＰＢＸ７の局線発信番号をダイヤルする。屋内基地局集線装置３では、ＣＰＵ３４で特定番号を識別すると屋内基地局集線装置３のＰＢＸインタフェース部からＰＢＸ７のＰＨＳインタフェース部へＰＨＳ端末１ａの番号と特定番号＋ＰＢＸ端末６ａの番号情報を送出する。
【００２４】
ＰＢＸ７では、ＰＢＸ７のＣＰＵ７２でＰＨＳ端末１ａの番号と特定番号＋局線発信番号の情報を識別し、局線が空きであれば、局線とＰＨＳインタフェース部を接続すると共にＰＨＳインタフェース部を通して、屋内基地局集線装置３のＰＢＸインタフェース部へ局線接続情報を送出する。
【００２５】
屋内基地局集線装置３では、屋内基地局集線装置３のＣＰＵ３４で局線接続情報を識別すると、ＰＨＳ端末１ａへ接続情報を送出するととともにＰＨＳ端末１ａとＰＢＸインタフェース部を接続する。これにより、ＰＨＳ端末１ａとＰＢＸ７の局線が接続される。
【００２６】
ＰＨＳ端末１ａはＰＢＸ７からの発信音を聞き、相手先番号（公衆番号）をダイヤルする。ダイヤル番号はＰＨＳ端末１ａ，屋内基地局、屋内基地局集線装置のＰＢＸインタフェース、ＰＢＸ７のＰＨＳインタフェースを経由し、ＰＢＸ７の局線へ送出される。ダイヤル先の相手が応答すれば、ＰＨＳ端末１ａと通話ができる。
【００２７】
次に、ＰＢＸ端末１ａからＰＨＳの局線へ接続する場合について説明する。ＰＢＸの番号計画で屋内基地局集線装置３へ接続する特定番号を設けておき、ＰＢＸ端末６ａから特定番号＋相手先番号（公衆番号）をダイヤルする。
【００２８】
ＰＢＸ７では、ＣＰＵ７２で特定番号を識別するとＰＢＸ７のＰＨＳインタフェース部から屋内基地局集線装置３のＰＢＸインタフェース部へＰＢＸ端末６ａの番号と特定番号＋相手先番号（公衆番号）の情報を送出する。
【００２９】
屋内基地局集線装置３では、屋内基地局集線装置３のＣＰＵ３４でＰＢＸ端末６ａの場号と特定番号＋相手先番号（公衆網）の情報を識別する。
【００３０】
屋内基地局集線装置３では、屋内基地局集線装置３のＣＰＵ３４でＰＢＸ端末６ａの番号と特定番号＋相手先番号（公衆網）の情報を識別する。屋内基地局集線装置３では、ＰＢＸ７を仮想ＰＨＳ端末（ＰＨＳ端末ｎ＋１）とみなし、通常のＰＨＳ端末からの発信と同様に局線とのプロトコル制御を行う。
【００３１】
局線側より、相手先の呼び出し情報を受信すると、ＰＢＸインタフェース部を通して、ＰＢＸ７のＰＨＳインタフェース部へ局線側からの呼び出し情報を送出する。
【００３２】
ＰＢＸ７では、ＰＢＸ７のＣＰＵ７２で局線側からの呼び出し情報を受信するとＰＢＸ端末６ａへリングバックトーンを送出する。
【００３３】
相手先が応答すると、屋内基地局集線装置３のＣＰＵ３４で局線側よりの応答情報を識別し、ＰＢＸインタフェース部を通して、ＰＢＸ７のＰＨＳインタフェース部へ局線側よりの応答情報を送出する。
【００３４】
ＰＢＸ７では、ＰＢＸ７のＣＰＵ７２で局線よりの応答を識別すると、ＰＢＸ端末６ａへのリングバックトーンを止めると共にＰＢＸ端末６ａとＰＨＳインタフェースを接続する。これにより、ＰＢＸ端末６ａと相手先が通話できる。
【図面の簡単な説明】
【００３５】
【図１】本発明の実施の形態を表すシステムブロック図である。
【符号の説明】
【００３６】
１ａ，１ｂ，１ｎ  ＰＨＳ端末
２１，２２，２ｍ  屋内基地局
３  屋内基地局集線装置
３１ａ，３１ｂ，３１ｍ  屋内基地局インタフェース
３２  Ｉインタフェース
３３  ＰＢＸＩＦ
３４  ｃｐｕ
３５  データベース
４  公衆ＰＨＳ網
５  公衆網
６ａ，６ｂ，６ｎ  ＰＢＸ端末
７  ＰＢＸ
７１  ＰＨＳＩＦ
７２  ＣＰＵ
【図１】
2005045685.tif 000003